(57)【要約】【課題】光源ブロックを表示枠と一体にして本体ユニットに着脱することを可能にし、これによって、導光板ブロックを取り外す際の作業性を向上させた表示灯を供給する。【解決手段】表示灯１は、開口面を有する矩形筐体であり各周壁に沿ってそれぞれ一対のランプソケット４を備える本体ユニット２と、本体ユニット２の開口面に臨んで配置される導光板ブロック６と、ランプソケット４に取り付けられ導光板ブロック６の周囲に配置される４つの光源ブロック７と、導光板ブロック６の前面側に配置されるパネル８と、本体ユニット２の開口面に取り付けられる表示枠９とで構成される。表示枠９の背面には各辺に沿って光源ブロック７を固定するための一対の固定金具１７がそれぞれ設けられる。光源ブロック７を各対の固定金具１７に装着し、表示枠９に固定することより、光源ブロック７は表示枠９と一体にして本体ユニット２に着脱することが可能になる。【選択図】図１
2012009342.tif 000002
【特許請求の範囲】
【請求項１】
点灯回路を収納した本体ユニットと、前記本体ユニットの一面に着脱可能に取り付けられ前記点灯回路から供給される電力により光源を点灯させる表示ユニットとを備え、前記本体ユニットは、前記点灯回路に電気的に接続され前記一面に臨んで挿入孔を有する差込式のランプソケットを備え、前記表示ユニットは、透光性を有し表示パターンが表記されたパネルと、前記パネルの背面に前面が対向するように配置され側面から入射した光を前面から出射する導光板ブロックと、前記光源に電気的に接続され前記ランプソケットに差し込まれる接続端子が突設され前記導光板ブロックの側面に対向する部位に配置される光源ブロックと、前記パネルと前記光源ブロックとを保持し前記本体ユニットに対して着脱される表示枠とを備え、前記表示枠は、前記光源ブロックが装着される固定具を備えることを特徴とする表示灯。
【請求項２】
前記光源ブロックは、対向する前記導光板ブロックの側面の長手方向に長く、前記固定具は、前記光源ブロックを前記導光板ブロックの側面と交差する方向から挟むように前記表示枠の背面から前記光源ブロックの後端まで突出する一対の固定片を備え、前記固定片の後端には互いに他方に向かって延びるとともに前記光源ブロックに後方から当接する脱落防止片が設けられ、前記固定片は厚み方向に可撓性を有することを特徴とする請求項１記載の表示灯。
【請求項３】
前記光源ブロックは、対向する前記導光板ブロックの側面の長手方向に長く、前記固定具は、前記光源ブロックを前記導光板ブロックの側面と交差する方向から挟むように前記表示枠の背面から前記光源ブロックの後端よりも長く突出する一対の固定片を備え、前記固定片の後端には前記表示枠に近づくにつれて互いに他方との距離を次第に狭める方向に延びるとともに前端が前記光源ブロックに当接する脱落防止片が設けられ、前記脱落防止片の前端間の距離が同方向における光源ブロックの幅よりも短く、前記固定片は厚み方向に可撓性を有することを特徴とする請求項１記載の表示灯。
【発明の詳細な説明】
【技術分野】
【０００１】
本発明は、誘導灯に代表されるように、透光性を有し表示パターンが表記されたパネルに背面側から光を照射する構造を有した表示灯に関するものである。
【背景技術】
【０００２】
従来から、この種の表示灯が種々提案されている。例えば、特許文献１に記載された表示灯１（図２参照）は、一面に開口面を有した本体ユニット２と、本体ユニット２の開口面を覆う表示ユニット３とで構成されている。表示ユニット３は本体ユニット２に対して着脱自在に取り付けられる。
【０００３】
表示ユニット３は、拡散透過性を有する矩形板状のパネル８と、パネル８の背面側に配置される導光板ブロック６と、導光板ブロック６の周囲に配置される光源ブロック７と、パネル８と導光板ブロック６と光源ブロック７とを囲む表示枠９とで構成されている。
【０００４】
導光板ブロック６は、矩形板状の導光板１０を備える。導光板１０は、側面から入れた光を導光し、導光板１０の前面を均一に光らせることができる。
【０００５】
光源ブロック７は４つ備えられている。光源ブロック７は、光を放射する面（以下、「放射面」という）からの光が導光板１０の各端面からそれぞれ導光板１０内に入射するように、各光源ブロック７の放射面が導光板ブロック６の各端面に対向する形でそれぞれ本体ユニット２に取り付けられている。
【０００６】
パネル８は、表示パターン（例えば、人物を模したピクトグラムなど）が描かれている。また、パネル８は、表示枠９の背面側に取り付けられており、表示枠９の開口窓９ａからパネル８の表示パターンが露出する。パネル８は導光板ブロック６の前面側に配置され、表示枠９は、本体ユニット２の前面に取り付けられる。
【０００７】
図９は特許文献１に記載された表示灯１の一部を示している。光源ブロック７は、放射面および背面が開口した矩形箱状の光源ケース１２を備え、光源ケース１２の長手方向の両端部にはそれぞれ接続端子１５が後方に向けて突設されている。
【０００８】
一方、本体ユニット２にはランプソケット４が設けられている。光源ブロック７を本体ユニット２に取り付けるには、接続端子１５をランプソケット４の前端に形成された挿入孔に挿入する。
【先行技術文献】
【特許文献】
【０００９】
【特許文献１】特開２００９−２８９６８２号公報
【発明の概要】
【発明が解決しようとする課題】
【００１０】
上述のように光源ブロック７を本体ユニット２に取り付けた場合、本体ユニット２から導光板ブロック６を取り外す際に、導光板ブロック６が光源ブロック７に接触することがあり、接続端子１５がランプソケット４から外れてしまう可能性がある。また、上述の表示灯１では導光板１０の４辺それぞれに隣接して光源ブロック７が取り付けられている。そのため、上述の表示灯１では導光板ブロック６を取り外す際に、４つの光源ブロック７のいずれに対しても接続端子１５がランプソケット４から外れることがないように注意しなければならず、作業性が悪いという問題がある。
【００１１】
本発明は、上記の事由に鑑みて為されたものであって、光源ブロックを表示枠と一体にして本体ユニットに着脱することを可能にし、これによって、導光板ブロックを取り外す際の作業性を向上させた表示灯を提供することを目的とする。
【課題を解決するための手段】
【００１２】
本発明の表示灯は、点灯回路を収納した本体ユニットと、本体ユニットの一面に着脱可能に取り付けられ点灯回路から供給される電力により光源を点灯させる表示ユニットとを備え、本体ユニットは、点灯回路に電気的に接続され一面に臨んで挿入孔を有する差込式のランプソケットを備え、表示ユニットは、透光性を有し表示パターンが表記されたパネルと、パネルの背面に前面が対向するように配置され側面から入射した光を前面から出射する導光板ブロックと、光源に電気的に接続されランプソケットに差し込まれる接続端子が突設され導光板ブロックの側面に対向する部位に配置される光源ブロックと、パネルと光源ブロックとを保持し本体ユニットに対して着脱される表示枠とを備え、表示枠は、光源ブロックが装着される固定具を備えることを特徴とする。
【００１３】
この表示灯において、光源ブロックは、対向する導光板ブロックの側面の長手方向に長く、固定具は、光源ブロックを導光板ブロックの側面と交差する方向から挟むように表示枠の背面から光源ブロックの後端まで突出する一対の固定片を備え、固定片の後端には互いに他方に向かって延びるとともに光源ブロックに後方から当接する脱落防止片が設けられ、固定片は厚み方向に可撓性を有することが望ましい。
【００１４】
この表示灯において、光源ブロックは、対向する導光板ブロックの側面の長手方向に長く、固定具は、光源ブロックを導光板ブロックの側面と交差する方向から挟むように表示枠の背面から光源ブロックの後端よりも長く突出する一対の固定片を備え、固定片の後端には表示枠に近づくにつれて互いに他方との距離を次第に狭める方向に延びるとともに前端が光源ブロックに当接する脱落防止片が設けられ、脱落防止片の前端間の距離が同方向における光源ブロックの幅よりも短く、固定片は厚み方向に可撓性を有することがより望ましい。
【発明の効果】
【００１５】
本発明の構成によれば、光源ブロックを表示枠と一体にして本体ユニットに着脱することが可能になり、これにより、導光板ブロックを取り外す際の作業性が向上するという利点がある。
【図面の簡単な説明】
【００１６】
【図１】（ａ）は実施形態において表示枠を取り付ける前の要部の分解断面図、（ｂ）は同上の表示灯を取り付けた後の要部断面図である。
【図２】表示灯の分解斜視図である。
【図３】実施形態の斜視図である。
【図４】同上の要部断面図である。
【図５】（ａ）は同上における他の構成例の表示枠を取り付ける前の要部の分解断面図、（ｂ）は同上における他の構成例の表示枠を取り付けた後の要部断面図である。
【図６】図５に示した構成例に用いる固定金具の動作説明図である。
【図７】（ａ）は実施形態における別の構成例の表示枠を取り付ける前の要部の分解断面図、（ｂ）は同上における別の構成例の表示枠を取り付けた後の要部断面図である。
【図８】図７に示した構成例に用いる固定金具の動作説明図である。
【図９】従来例を示す要部断面図である。
【発明を実施するための形態】
【００１７】
本実施形態では、避難路などを示す誘導灯に用いる表示灯を例示するが、本実施例で説明する技術を他の用途の表示灯に用いることを妨げない。
【００１８】
図２に示す表示灯１は、一面に開口面を有する直方体状の筐体である本体ユニット２と、本体ユニット２の開口面を覆うように本体ユニット２の前記一面に着脱自在に取り付けられる表示ユニット３とで構成される。
【００１９】
以下では、図２の上下方向を上下方向とし、本体ユニット２において開口面を設けた面を前面として説明する。図３に示すように、本体ユニット２の４つの周壁に沿ってそれぞれ一対のランプソケット４が取り付けられている（２周壁のランプソケット４は不図示）。また本体ユニット２は、ランプソケット４に電力を供給する点灯回路５を備えている。
【００２０】
表示ユニット３は、本体ユニット２の前面側に配置される導光板ブロック６と、導光板ブロック６の周囲に配置される４つの光源ブロック７と、導光板ブロック６の前面側に配置されるパネル８と、本体ユニット２の前面に取り付けられる表示枠９とで構成される。パネル８には、図示しない表示パターン（例えば、人物を模したピクトグラムなど）が描かれている。
【００２１】
導光板ブロック６は、矩形板状の導光板１０と、導光板１０を背面側から支持する導光体支持板１１とで構成される。導光板１０は、例えばアクリル樹脂などの透明材料により形成される。導光板１０の背面側には、Ｖ字状に刻まれた多数本の溝や白色に印刷された多数個のドットパターンなどの適宜の手段により光を拡散反射させる構成が設けられている。
【００２２】
光源ブロック７は、矩形箱状の光源ケース１２を備える。図４に示すように、光源ケース１２の長手方向の両端面の内側には光源基板１３が設置されており、各光源基板１３には発光ダイオードからなる光源１４がそれぞれ実装されている。図２に示すように、光源ブロック７の長手方向の両端部には、接続端子１５がそれぞれ突設されている。
【００２３】
導光板１０の各端面とそれぞれ対向する光源ケース１２の一面（以下、「放射面」という。）は開口している。図４のように、光源ケース１２の内部に配置した両光源１４の間には棒状に形成された導光体１６が配置される。また、導光体１６の背面（図４の上面）においての面の対面は、長手方向の中心に向かって下り傾斜しており、導光板１０の背面側と同様にＶ字溝又はドット印刷などにより反射面１６ａが形成される（図４参照）。これにより、光源１４からの光を放射面の方向へ反射させ、光源ブロック７は光源１４の発した光を光源ケース１２の放射面から出射する。
【００２４】
表示枠９は、開口窓９ａを有する矩形枠であり、その外周に沿って後方に延びる周片を有する。表示枠９の背面には、開口部に当接するようにパネル８が適宜の方法により固定されている。表示枠９の背面には、各辺に沿って光源ブロック７を固定するための固定具がそれぞれ設けられる。
【００２５】
本実施形態は、固定具として固定金具１７（図１参照）を使用する場合を示している。本実施形態では、光源ブロック７の長手方向の両端部を保持するように、表示枠９の背面の各辺に沿って固定金具１７をそれぞれ一対設けてある。各固定金具１７は、光源ブロック７の長手方向の端部の放射面、その対面および背面と当接するように矩形枠状に形成される。各一対の固定金具１７に光源ブロック７がそれぞれ装着され、表示枠９に光源ブロック７が固定される。
【００２６】
次に、本体ユニット２への表示ユニット３の取付方法について説明する。表示ユニット３を本体ユニット２にの取り付けるには、まず導光板ブロック６を独立して本体ユニット２に取り付けた後、パネル８および光源ブロック７を固定した表示枠９を本体ユニット２に取り付ける。
【００２７】
図３に示すように、導光体支持板１１の背面側の左辺の上下両端付近には一対の取付金具１８が取り付けられている。取付金具１８の後端には下向きに開放された切欠溝（図示せず）が形成されている。本体ユニット２には、取付金具１８に対応した位置に一対の受け金具１９が設けられている。受け金具１９は、本体ユニット２の開口面に臨む係合片を有し、係合片には挿通孔が開口している。受け金具１９の挿通孔に取付金具１８の切欠溝を係合させることにより、導光板ブロック６は本体ユニット２に対して、開閉可能に取り付けられる（図３参照）。
【００２８】
表示枠９は、導光板ブロック６を本体ユニット２に取り付けた状態（図１（ａ）参照）において、本体ユニット２の前面に固定される。図１に示すように、パネル８と光源ブロック７と表示枠９とは一体となって本体ユニット２に取り付けられる。
【００２９】
図１（ｂ）に示すように、パネル８は導光板１０の前面側に配置される。また、光源ブロック７は、接続端子１５が本体ユニット２のランプソケット４の先端面に形成された挿入孔４ａ（図３参照）に差し込まれることにより、本体ユニット２に取り付けられる。各光源ブロック7は、放射面が導光板１０の各端面それぞれと対向するように配置されている。これにより、導光板１０の全体に光をより均一に行き渡らせる事を可能にしている。
【００３０】
表示枠９を取り外す際には、パネル８および光源ブロック７は表示枠９と一体となって本体ユニット２から取り外される。そのため本実施形態では、表示枠９が取り外された状態では、光源ブロック７は必ず取り外されており、導光板ブロック６の取外時の作業性が向上することになる。
【００３１】
また、固定金具１７に代えて、図５に示すような固定金具１７ａを用いることも可能である。固定金具１７ａは、表示枠９の背面から光源ブロック７の背面まで突出した一対の矩形板である固定片２０と、各固定片２０の後端から光源ブロック７の背面に当接するように他方の固定片２０の方向に向けて突出する脱落防止片２０ａとを連続一体に備える。したがって、両固定片２０により光源ブロック７の放射面およびその対面から光源ブロック７を挟む。光源ブロック７は、固定金具１７ａに固定された状態において、その背面は脱落防止片２０ａと当接し、後方への移動が規制される。
【００３２】
固定片２０は、厚み方向に可撓性を有しており、後端部が互いに他方との距離を広げるように撓むことが可能である。そのため、図６に実線で示すように、固定片２０を後端部間が距離を広げる方向に撓ませて、光源ブロック７を固定金具１７ａに対して前後方向に移動させて着脱可能になる。これにより、固定金具１７ａは、図１に示した固定金具１７に比べて光源ブロック７の着脱が容易になる。また、光源ブロック７を固定した表示枠９の本体ユニット２に対する着脱時の光源ブロック７の機能は、前述の固定金具１７を用いた場合と同様である。
【００３３】
また、固定金具１７に代えて、図７に示すような固定金具１７ｂを用いることも可能である。固定金具１７ｂの固定片２０は、固定金具１７ａの固定片２０に比べて後方に長く突出している。固定片２０の後端には、表示枠９に近づくにつれて互いに他方との距離を次第に狭めながら光源ブロック７の背面に当接するまで延びる脱落防止片２０ｂを備える。光源ブロック７は、固定金具１７ｂに固定された状態において、その背面は脱落防止片２０ｂの前端と当接し、光源ブロック７は後方への移動が規制される。
【００３４】
固定金具１７ａと同様に固定金具１７ｂの固定片２０は、厚み方向に可撓性を有しており、後端部が互いに他方との距離を広げるように撓むことが可能である。そのため、図８（ａ）に実線で示すように、固定片２０を後端部間が距離を広げる方向に撓ませて、光源ブロック７を固定金具１７ａに対して前後方向に移動させて着脱可能となる。
【００３５】
さらに図８（ｂ）に示すように、脱落防止片２０ｂに対して後方から力を加えた場合、固定片２０には互いに後端部間の距離を広げる方向に力が加わる。これにより、光源ブロック７を固定金具１７ｂへ押し込むことにより、光源ブロック７を固定金具１７ｂに装着することが可能になる。そのため、図８（ｂ）に示すように光源ブロック７が既に本体ユニット２に取り付けられた状態であっても、表示枠９を本体ユニット２へ取り付けることが可能になる。また、光源ブロック７を固定した表示枠９の本体ユニット２に対する着脱時の光源ブロック７の機能は、前述の固定金具１７を用いた場合と同様である。
【符号の説明】
【００３６】
１  表示灯
２  本体ユニット
３  表示ユニット
４  ランプソケット
４ａ  挿入孔
５  点灯回路
６  導光板ブロック
７  光源ブロック
８  パネル
９  表示枠
１５  接続端子
２０  固定板
２０ａ  脱落防止片
２０ｂ  脱落防止片
【図１】
2012009342.tif 000003
【図２】
2012009342.tif 000004
【図３】
2012009342.tif 000005
【図４】
2012009342.tif 000006
【図５】
2012009342.tif 000007
【図６】
2012009342.tif 000008
【図７】
2012009342.tif 000009
【図８】
2012009342.tif 000010
【図９】
2012009342.tif 000011